(57)【要約】【課題】簡易な構造で、サウナ使用時の着用者の喉や鼻を熱から保護し、呼吸をしやすくすることが可能なサウナ用タオル製品を提供する。【解決手段】本考案は、着用者の少なくとも口を覆うことがサウナ用タオル製品１０であって、略長方形のタオル本体１を有し、タオル本体１は、長辺Ｌの中心線ＯＬに対して対称に設けられる一対の開口部２を有し、一対の開口部２はそれぞれ、着用者の左右の耳に引っ掛けることが可能であるように形成されている。【選択図】図１
0003230208.tif 000002
【実用新案登録請求の範囲】
【請求項１】
着用者の少なくとも口を覆うことが可能なタオル製品であって、
略長方形のタオル本体を有し、
前記タオル本体は、長辺の中心線に対して対称に設けられる一対の開口部を有し、
前記一対の開口部はそれぞれ、着用者の左右の耳に引っ掛けることが可能であるように形成されている、
サウナ用タオル製品。
【請求項２】
前記一対の開口部が、短辺の中心線に対して一方側に位置している、請求項１に記載のサウナ用タオル製品。
【請求項３】
前記一対の開口部がスリット状又は楕円形状である、請求項２に記載のサウナ用タオル製品。
【請求項４】
前記タオル本体が、含水により保冷効果を発揮する接触冷感素材を含む、請求項１から請求項３のいずれか１項に記載のサウナ用タオル製品。
【考案の詳細な説明】
【技術分野】
【０００１】
本考案は、タオル製品に関し、特に、サウナ使用時に着用者の口や鼻を覆うことが可能なサウナ用タオル製品に関する。
【背景技術】
【０００２】
サウナ使用時、使用者の間では、濡れタオルを手で口や鼻に当てたり、口や鼻を覆うように濡れタオルを顔に巻き付けたり、喉や鼻を熱から保護し、呼吸をしやすくするための工夫が行われている。このような工夫は、使用者ごとに、又は使用者間の口コミに基づき行われる。そのため、熱から喉や鼻を保護し、呼吸をしやすくするためのより簡易な手段があることが望ましい。
【０００３】
また、サウナ使用時に熱から呼吸器系を守るとともに、毛穴の発汗作用を促す布製のフェイスマスクが流通している（例えば、特許文献１のフェイスマスクを参照）。このようなフェイスマスクは、立体形状を有し、目や口に対応する部分に開口が設けられ、後頭部付近で固定位置を調整可能とすることにより、顔面からズレ落ちるのを防いでいる。このようなフェイスマスクは、サウナ利用時の発汗作用による美容効果を主目的とし、顔に密着する構造を有しているため、リラックスしてサウナを使用したい使用者には不向きである。
【先行技術文献】
【特許文献】
【０００４】
【特許文献１】実用新案登録第３２００８４３号公報
【考案の概要】
【考案が解決しようとする課題】
【０００５】
本考案は上述のような事情に基づいてなされたものであり、簡易な構造で、サウナ使用時の着用者の喉や鼻を熱から保護し、呼吸をしやすくすることが可能なサウナ用タオル製品の提供を目的とする。
【課題を解決するための手段】
【０００６】
上記課題を解決するために、本考案は、着用者の少なくとも口を覆うことが可能なタオル製品であって、略長方形のタオル本体を有し、前記タオル本体は、長辺の中心線に対して対称に設けられる一対の開口部を有し、前記一対の開口部はそれぞれ、着用者の左右の耳に引っ掛けることが可能であるように形成されている、サウナ用タオル製品を提供する（考案１）。
【０００７】
かかる考案（考案１）によれば、タオル本体に設けられた一対の開口部をそれぞれ、着用者の左右の耳に引っ掛けるだけで、着用者の少なくとも口を覆うことができるので、簡易な構造で、着用者の喉や鼻を熱から保護し、呼吸をしやすくすることができる。
【０００８】
上記考案（考案１）においては、前記一対の開口部が、短辺の中心線に対して一方側に位置していることが好ましい（考案２）。
【０００９】
かかる考案（考案２）によれば、一対の開口部が位置していないもう一方側を口側にして装着することにより、より適切に着用者の喉や鼻を熱から保護することができる。
【００１０】
上記考案（考案２）においては、前記一対の開口部がスリット状又は楕円形状であってもよい（考案３）。
【００１１】
かかる考案（考案３）によれば、タオル本体の両側を引っ張ることにより、又はタオル本体の自重により、開口部が容易に口を開き、耳に引っ掛けるのに十分な広さとなる。なお、スリット状又は楕円形状の開口部は、タオル本体の所定位置に切り込み入れた後、切り込みの周囲を、例えば穴かがり（ボタンホール）加工することにより形成することができる。そのため、開口部がスリット状又は楕円形状のサウナタオル製品は、製造が容易である。
【００１２】
上記考案（考案１−３）においては、前記タオル本体が、含水により保冷効果を発揮する接触冷感素材を含んでいてもよい（考案４）。
【００１３】
かかる考案（考案４）によれば、肌に接触させたときに、冷感を奏する機能を有するので、着用時の呼吸がより快適になる。
【考案の効果】
【００１４】
本考案のサウナ用タオル製品によれば、タオル本体に設けられた一対の開口部をそれぞれ、着用者の左右の耳に引っ掛けるだけで、着用者の少なくとも口を覆うことができるので、簡易な構造で、着用者の喉や鼻を熱から保護し、呼吸をしやすくすることができる。
【図面の簡単な説明】
【００１５】
【図１】本考案の一実施形態に係るサウナ用タオル製品を示す模式的平面図である。
【図２】図１のサウナ用タオル製品の着用例を示す模式図である。
【考案を実施するための形態】
【００１６】
以下、本考案のサウナ用タオル製品の実施の形態について、適宜図面を参照して説明する。以下に説明する実施形態は、本考案の理解を容易にするためのものであって、何ら本考案を限定するものではない。
【００１７】
図１は、本考案の一実施形態に係るサウナ用タオル製品を示す模式的平面図である。図１は、サウナ用タオル製品１０の表側、つまり着用した時に顔に触れる側とは逆側を示している。サウナ用タオル製品１０は、着用者の少なくとも口を覆うことが可能であって、略長方形のタオル本体１を有し、タオル本体１は、長辺Ｌの中心線ＯＬに対して対称に設けられる一対の開口部２（２１、２２）を有する。一対の開口部２１、２２はそれぞれ、着用者の左右の耳に引っ掛けることが可能であるように形成されている。
【００１８】
［タオル本体］
タオル本体１は、略長方形の布地により構成されている。タオル本体１を構成する布地は、タオル地であってよい。タオル地とは、主に綿で作られる織物であって、たて糸の一部（パイル糸）を弛緩させることで布地にループ状の部分を形成したものであり、このような構成により、保温性、保湿性及び吸水性を高めたものである。タオル地には、パイルが片面のものと両面のものがある。
【００１９】
タオル本体１は、ＪＩＳの規格が定められている「浴用タオル」であってもよい。すなわち、タオル本体１は、平らな台の上で、不自然なしわや張力が除かれて、短辺Ｓ及び長辺Ｌが測定された場合に、短辺Ｓの寸法が３３．５ｃｍ以上３５．５ｃｍ未満、長辺Ｌの寸法が８３ｃｍ以上のタオルであってもよい。また、タオル本体１は、手や顔を拭くのに便利な寸法を有する「フェイスタオル」であってもよい。「フェイスタオル」としては、短辺Ｓの寸法が約３３ｃｍ、長辺Ｌの寸法が約８０ｃｍであるものが一般的である。
【００２０】
タオル本体１を構成する布地は、ガーゼ地であってもよい。ガーゼ地は、綿紗（めんしゃ）とも呼ばれ、細い綿糸を目の粗い平織りにした薄手の布である。タオル本体１を構成する布地がガーゼ地である場合、ガーゼ生地は二重又は三重にして用いることが好ましい。
【００２１】
タオル本体１を構成する布地は、タオル地とガーゼ地との組み合わせであってもよい。例えば、タオル本体１の一方の面がタオル地で、他方の面がガーゼ地であってもよい。
【００２２】
タオル本体１を構成する布地がガーゼ地である場合や、タオル地とガーゼ地との組み合わせである場合にも、タオル本体１の寸法としては、上述の「浴用タオル」の寸法、又は「フェイスタオル」の寸法が好ましい。
【００２３】
タオル本体１は、含水により保冷効果を発揮する接触冷感素材を含んでいてもよい。接触冷感素材とは、肌に接触させたときに、冷感を奏する機能を有する生地のことである。接触冷感素材は、繊維中に水分を多く含み、熱伝導率及び熱拡散率が高いため、接触冷感素材を含む生地に接触すると、肌から生地へ熱が瞬間的に移動して冷たさを感じる仕組みになっている。接触冷感機能に優れた性質を有する繊維としては、麻などの天然繊維、レーヨン、キュプラなどの化学繊維、又は、これらを組み合わせた混合繊維が知られている。
【００２４】
タオル本体１を構成する布地の全部又は一部に接触冷感素材を使用することにより、サウナ用タオル製品１を着用した際の呼吸がより快適になる。また、接触冷感素材は、丈夫であるとともに洗濯後の水きり乾燥が速いものが多いため、何回使用しても衰えず持続が可能であるという利点もある。
【００２５】
［開口部］
一対の開口部２（２１、２２）は、図１に示すように、タオル本体１の長辺Ｌの中心線ＯＬに対して対称に設けられている。以下では、図１において、左側に位置する開口部２を開口部２１、右側に位置する開口部２を開口部２２と呼ぶ。図１は、サウナ用タオル製品１０を着用した時に顔に触れる側とは逆側を示しているため、開口部２１は、着用者の右耳に引っ掛けることができ、開口部２２は着用者の左耳に引っ掛けることができる。
【００２６】
一対の開口部２１及び２２は、タオル本体１の短辺Ｓの中心線ＯＳに対して一方側に位置している。図１においては、一対の開口部２１及び２２は、タオル本体１の短辺Ｓの中心線ＯＳに対して上側に位置している。一対の開口部２１及び２２は、図１に示すように、タオル本体１の短辺Ｓの中心線ＯＳよりも、タオル本体１の上側長辺Ｌに近い側に位置していることが好ましい。このような構成であることにより、開口部２１を着用者の右耳に、開口部２２を着用者の左耳に、それぞれ引っ掛けると、より適切に着用者の喉や鼻を熱から保護することができる。
【００２７】
一対の開口部２１及び２２は、図１に示されるように、タオル本体１の短辺方向に平行なスリット状又は楕円形状であってもよい。この場合、タオル本体１の両側を引っ張ることにより、又はタオル本体１の自重により、開口部２１及び２２が容易に口を開き、耳に引っ掛けるのに十分な広さとなる。このようなスリット状又は楕円形状の開口部２１及び２２は、タオル本体１の短辺方向に平行な所定位置に切り込み入れた後、切り込みの周囲を、例えば穴かがり（ボタンホール）加工することにより形成することができる。そのため、開口部２１及び２２がスリット状又は楕円形状のサウナ用タオル製品１０は、製造が容易である。
【００２８】
一対の開口部２１及び２２はそれぞれ、開口長さ２３が６．５ｃｍ以上８．５ｃｍ以下のスリット状又は楕円形状であることが好ましい。また、開口部２１及び２２の上端２１ｔ及び２２ｔからタオル本体１の上側長辺Ｌまでの距離は、０．５ｃｍ以上０．８ｃｍ以下であることが好ましい。
【００２９】
例えば、タオル本体１の短辺Ｓの寸法が３３ｃｍ、長辺Ｌの寸法が８２ｃｍである場合、開口長さ２３は６．５ｃｍであることが好ましい。この場合、一対の開口部２１及び２２はそれぞれ、タオル本体１の長辺Ｌの中心線ＯＬから、１７．５ｃｍ離れた位置に設けられることが好ましい。すなわち、一対の開口部２１及び２２は、互いに３５ｃｍ離間していることが好ましい。また、この場合、開口部２１及び２２の下端２１ｂ及び２２ｂからタオル本体１の下側長辺Ｌまでの距離は、２６ｃｍであることが好ましい。
【００３０】
例えば、タオル本体１の短辺Ｓの寸法が３５ｃｍ、長辺Ｌの寸法が８８ｃｍである場合、開口長さ２３は８．０ｃｍであることが好ましい。この場合、一対の開口部２１及び２２はそれぞれ、タオル本体１の長辺Ｌの中心線ＯＬから、２０．５ｃｍ離れた位置に設けられることが好ましい。すなわち、一対の開口部２１及び２２は、互いに４１ｃｍ離間していることが好ましい。また、この場合、開口部２１及び２２の下端２１ｂ及び２２ｂからタオル本体１の下側長辺Ｌまでの距離は、２６．２ｃｍであることが好ましい。
【００３１】
開口部２１、２２の離間距離を調整することにより、着用者の顔のサイズに応じた構成とすることができる。また、例えば、口及び鼻を覆う構造とすることも可能である。
【００３２】
図２は、図１のサウナ用タオル製品１０の着用例を示す模式図である。サウナ用タオル製品１０は、一旦水を含ませた後に絞ってから着用することが好ましい。図２に示すように、サウナ用タオル製品１０によれば、タオル本体１に設けられた一対の開口部２１、２２をそれぞれ、着用者の左右の耳に引っ掛けるだけで、着用者の少なくとも口を覆うことができるので、簡易な構造で、着用者の喉や鼻を熱から保護し、呼吸をしやすくすることができる。
【００３３】
〔サウナ用タオル製品の製造方法〕
次に、上述の実施形態に係るサウナ用タオル製品１０を製造する方法について、図１を参照しつつ簡単に説明する。
【００３４】
まず、タオル本体１を構成する布地を準備する。この布地は、上述のように、タオル地であってもよく、ガーゼ地であってもよい。また、タオル地とガーゼ地の組み合わせであってもよい。タオル本体１として、市販のタオルを用いることもできる。
【００３５】
次に、タオル本体１の所定の位置に、一対の開口部２１及び２２を形成するための一対の切り込みを入れる。所定の位置は、上述のように、タオル本体１の長辺Ｌの中心線ＯＬに対して対称であって、短辺Ｓの中心線ＯＳに対して一方側に位置している。
【００３６】
次に、タオル本体１に設けた一対の切り込みのそれぞれを、穴かがり（ボタンホール）加工し、開口部２１及び２２を形成する。かがり糸としては、タオル本体１の布地と同じか又は類似の色の糸を用いてもよいし、ポイントとなるように対照色の糸を用いてもよい。一対の切り込みの加工方法は、穴かがり加工に限られない。タオル本体１に設けた一対の切り込みは、例えば、切り込みの周囲をパイピングテープによりパイピング加工してもよい。以上の工程により、サウナ用タオル製品１０は完成する。
【００３７】
以上、本考案について図面を参照にして説明してきたが、本考案は上記実施形態に限定されず、種々の変更実施が可能である。上記実施形態において、タオル本体１に設けられる一対の開口部２１及び２２は、タオル本体１の短辺方向に平行なスリット状又は楕円形状であるが、例えば、タオル本体１の長辺方向に平行なスリット状又は楕円形状であってもよい。例えば、タオル本体１に、一対の開口部２１及び２２とは異なる位置に、もう一対の開口部が設けられていてもよい。また、本考案に係るサウナ用タオル製品は、簡易な構造で、着用者の喉や鼻を熱から保護することができるため、例えば、真夏の大掃除や災害後の後片付けなどにも好適に使用することができる。
【００３８】
以上説明したように、本考案のサウナ用タオル製品によれば、タオル本体に設けられた一対の開口部をそれぞれ、着用者の左右の耳に引っ掛けるだけで、着用者の少なくとも口を覆うことができるので、簡易な構造で、着用者の喉や鼻を熱から保護し、呼吸をしやすくすることができる。
【符号の説明】
【００３９】
１０  サウナ用タオル製品
１  タオル本体
２  開口部
２１  開口部（右耳用）
２１ｔ  上端
２１ｂ  下端
２２  開口部（左耳用）
２２ｔ  上端
２２ｂ  下端
２３  開口長さ
Ｓ  短辺
Ｌ  長辺
ＯＳ  短辺の中心線
ＯＬ  長辺の中心線
【図１】
0003230208.tif 000003
【図２】
0003230208.tif 000004